(57)【要約】【課題】  伐採樹木や間伐材などを粉砕してチップ状にしたものを主原料とした植生基盤材を非常に効率的にかつ広範囲にわたって撒き出すことのできる植生基盤材の撒き出し工法を提供する。【解決手段】  重機２の可動アーム３の先端に取り付けられ、重機２側から供給される作動油によって駆動する駆動装置４と、可動アーム３の先端に取り付けられ、駆動装置４によって作動することにより植生基盤材ａを撒き出す回転羽根６および植生基盤材ａを供給するホッパ５とを備えた撒き出し装置１を使用し、ホッパ５から植生基盤材ａを繰り出しながら回転羽根６を回転させ、その遠心力によって植生基盤材ａをホッパ５下方の散布口７ａから周囲に撒き出す。【選択図】              図２
2006257671.tif 000002
【特許請求の範囲】
【請求項１】
重機の可動アームの先端に取り付けられ、重機側から供給される動力によって駆動する駆動装置と、前記可動アームの先端に取り付けられ、前記駆動装置によって作動して植生基盤材を撒き出す回転羽根および前記植生基盤材を供給するホッパとを備えた撒き出し装置を使用し、前記ホッパから植生基盤材を繰り出しながら前記回転羽根を回転させ、その遠心力によって前記植生基盤材を前記ホッパ下方の散布口から撒き出すことを特徴とする植生基盤材の撒き出し工法。
【請求項２】
重機は油圧ショベルであって、駆動装置は前記重機側から供給される作動油によって駆動することを特徴とする請求項１記載の植生基盤材の撒き出し工法。
【請求項３】
可動アームの先端に回転羽根を制御する変速装置を設置し、当該変速装置によって前記回転羽根を制御することを特徴とする請求項１または２記載の植生基盤材の撒き出し工法。  
【発明の詳細な説明】
【技術分野】
【０００１】
本発明は、植生基盤材の撒き出し工法に関し、特に道路やダム等の構築、宅地やゴルフ場などの造成に際し、山岳地や森林を切り開いたことにより大量に発生する伐採樹木や間伐材、あるいは抜根などをチップ状に粉砕し、これに現地掘削土や肥料、種子などを混合したものを植生基盤材として山岳地や森林を切り開いた後の地山や荒廃地に撒くために利用されるものである。
【背景技術】
【０００２】
近年、道路やダム等の構築、あるいは宅地やゴルフ場などの造成で、山岳地や森林を切り開いた際に大量に発生する伐採樹木や間伐材、あるいは抜根などを針状に粉砕したチップ材をそのまま、あるいはこれに現地で発生した表土、肥料、種子、添加剤などを混合したものを地山や荒廃地に植生基盤材として撒きだす緑化工法が、廃棄物の有効利用と環境改善の観点から注目されている。
【０００３】
ところで、この種の植生基盤材は、これまで、荒廃地や地山までホースのような管で空気搬送し、高圧で吹き付けるか、あるいはベルトコンベアーを利用した専用の撒き出し機によって撒き出していた（特許文献１参照）。
【特許文献１】特許第３５４７６１３号
【特許文献２】特許第３５５４５４５号
【特許文献３】特開２００１−２５４３６１号公報
【特許文献４】特開平１１−２２９３８７号公報
【特許文献４】特開平１１−２６９８８４号公報
【発明の開示】
【発明が解決しようとする課題】
【０００４】
しかし、吹き付けによる方法は、チップ材が土粒子とともにホース内に付着し、徐々に肥大化してファイバーボール状になってホースを詰まらせてしまう等の課題があった。
【０００５】
また、ベルトコンベアーを利用した専用の撒き出し機による方法では、ベルトコンベアーの撒き出し幅、速度には自ずと限界があり、しかも広く撒き出すことができないために能力的な限界があり、効率が悪く、撒き出し厚も不均一となりやすい等の課題があった。
【０００６】
本発明は、以上の課題を解決するためになされたもので、伐採樹木や間伐材などをチップ状に粉砕したものを主原料とした植生基盤材を非常に効率的にかつ広範囲にわたって撒き出すことを可能にした植生基盤材の撒き出し工法を提供することを目的とする。
【課題を解決するための手段】
【０００７】
請求項１記載の植生基盤材の撒き出し工法は、重機の可動アームの先端に取り付けられ、重機側から供給される動力によって駆動する駆動装置と、前記可動アームの先端に取り付けられ、前記駆動装置によって作動することにより植生基盤材を撒き出す回転羽根および前記植生基盤材を供給するホッパとを備えた撒き出し装置を使用し、前記ホッパから植生基盤材を繰り出しながら前記回転羽根を回転させ、その遠心力によって前記植生基盤材を前記ホッパ下方の散布口から撒き出すことを特徴とするものである。    
【０００８】
この場合の重機には、例えば土木建設工事などで広く用いられている油圧ショベル等の汎用重機を利用することができ、この場合、当該重機の可動アームの先端に取り付けられているショベル等の本来の工事用アタッチメントを、撒き出し装置および駆動装置に付け替えて利用することができる。
【０００９】
また、重機側から供給される動力を利用して撒き出し装置に備え付けられた回転羽根を回転させ、その遠心力によって植生基盤材を非常に効率的にかつ広範囲に撒き出すことができる。  
【００１０】
請求項２記載の植生基盤材の撒き出し工法は、請求項１記載の植生基盤材の撒き出す工法において、重機は油圧ショベルであって、駆動装置は前記油圧ショベル側から供給される作動油によって駆動することを特徴とするものである。
【００１１】
本発明は特に、油圧ショベルの作動油を利用して撒き出し装置に備え付けられた回転羽根を回転させ、その遠心力によって植生基盤材を非常に効率的にかつ広範囲に撒き出せるようにしたものである。  
【００１２】
この場合、駆動装置は本来、ショベル等のアタッチメントを作動させるために重機側から可動アームの先端まで延長された備え付けの油圧ホースに接続し、この油圧ホースを介して重機側から供給される作動油によって駆動させることができ、非常に合理的である。
【００１３】
また、撒き出し装置も、本来、ショベル等のアタッチメントを制御するために重機側から可動アームの先端まで延長された備え付けの油圧ジャッキに接続し、この油圧ジャッキによって撒き出し装置の方向や傾きなどの姿勢制御を重機側において自由に行うことができ、したがって植生基盤材を撒き出し面に垂直に撒き出すことができる。
【００１４】
請求項３記載の植生基盤材の撒き出し工法は、請求項１または２記載の植生基盤材の撒き出し工法において、可動アームの先端に回転羽根を制御するための変速装置を設置し、当該変速装置によって前記回転羽根を制御することを特徴とするものである。本発明によれば、変速装置によって回転羽根とアジテータの回転速度などを適宜制御することにより植生基盤材の撒き出し量を自由に調整することができる。
【発明の効果】
【００１５】
本発明は、撒き出し装置に備え付けられた回転羽根が回転する際の遠心力を利用して、植生基盤材を周囲に勢い良く撒き出すため、幅広くより遠方に植生基盤材を撒きだすことができ、更には撒き出し厚が均一できわめて効率的に植生基盤材を撒き出すことができる等の効果を有する。
【００１６】
また、土木建設工事などで広く用いられている油圧ショベル等の汎用重機を利用することができるため、重機の調達が容易で実用性が大いに期待できる。
【発明を実施するための最良の形態】
【００１７】
図１と図２は、本発明の一例を示し、図において、撒き出し装置１は、重機２の可動アーム３の先端に当該撒き出し装置１を作動させるための駆動装置４とともに取り付けられ、重機２には土木建設工事などで広く用いられる油圧ショベル等の汎用重機が用いられている。
【００１８】
撒き出し装置１は、植生基盤材ａを供給するためのホッパ５と、当該ホッパ５の下側に取り付けられ、ホッパ５から繰り出された植生基盤材ａを周囲に撒き出すための回転羽根６と、当該回転羽根６が収納された収納ボックス７とを備えて構成されている。
【００１９】
ホッパ５には、駆動軸８がホッパ５の底部５ａを収納ボックス７側に貫通して垂直に設置され、当該駆動軸８にホッパ５内に投入された植生基盤材ａを攪拌するためのアジテータ９が取り付けられている。
【００２０】
また、収納ボックス７側に貫通した駆動軸８の下端部８ａには回転羽根６が取り付けられている。さらに、ホッパ５の底部５ａには、収納ボックス７側に開口し、ホッパ５内の植生基盤材ａを収納ボックス７側に繰り出すための繰り出し口１０が形成され、当該繰り出し口１０に植生基盤材ａの繰り出し量を調整するためのシャッター１１が取り付けられている。
【００２１】
駆動装置４は、重機２側から供給される油圧によって駆動する油圧モータで、駆動軸８を介して回転羽根６とアジテータ９を回転させる構成になっている。
【００２２】
また、駆動装置４と駆動軸８との間に変速装置１２が介在され、この変速装置１２によって回転羽根６とアジテータ９の回転速度などを個別に制御することにより、植生基盤材ａの性状に応じて最も効率的に植生基盤材ａを撒きだせるようになっている。
【００２３】
なお、この場合の駆動装置４は、本来、可動アーム３の先端に取り付けられたショベル等のアタッチメントを作動させるために、重機２側から可動アーム３の先端まで延長された備え付けの油圧ホース１３に接続し、この油圧ホース１３を介して供給される油圧によって駆動する構成になっている。
【００２４】
また、撒き出し装置１も、本来、ショベル等のアタッチメントを制御するために重機２側から可動アーム３の先端まで延長された備え付けの油圧ジャッキ１４に接続し、この油圧ジャッキ１４によって方向や傾きなどの姿勢を重機２側において自由に制御できるようになっている。
【００２５】
さらに、駆動装置４から油圧ホース１３を、撒き出し装置１から油圧ジャッキ１４をそれぞれ切り離し、撒き出し装置１と駆動装置４を可動アーム３の先端から取り外した後、可動アーム３の先端にショベル等の本来のアタッチメントを取り付け、かつ油圧ホース１３と油圧ジャッキ１４を再び接続することにより、重機２は一般の建設用重機に戻して利用できるようになっている。
【００２６】
次に、植生基盤材ａの撒き出し方法について説明すると、最初に、別途製造された植生基盤材ａをホッパ５内に投入する。
【００２７】
次に、ホッパ５の底部５ａに設けられたシャッター１１を開けて、ホッパ５内の植生基盤材ａを繰り出し口１０から収納ボックス７側に繰り出し、同時に駆動装置４を駆動し回転羽根６を回転させる。そして、回転羽根６の遠心力によって植生基盤材ａを収納ボックス７の散布口７ａから周囲に勢い良く撒き出す。
【００２８】
この場合、変速装置１２によって回転羽根６とアジテータ９の回転速度などを適宜制御することにより、植生基盤材ａの量を調整して撒き出し厚を決定する。また、油圧ジャッキ１４によって撒き出し装置１の方向や傾きなどの姿勢制御を重機２側において適宜行うことにより、植生基盤材ａを撒き出し面に垂直に撒き出す。
【産業上の利用可能性】
【００２９】
本発明は、伐採樹木や間伐材などを粉砕したチップ材を主な原料とした植生基盤材を山岳地や森林を切り開いた後の地山や荒廃地に広い範囲わたってきわめて効率的に撒き出すことができる。
【図面の簡単な説明】
【００３０】
【図１】植生基盤材を撒き出している作業状況を示す全体図である。
【図２】（ａ）は撒き出し装置と駆動装置の外観を示す正面図、（ｂ）は（ａ）におけるイ部拡大図、（ｃ）は（ｂ）におけるロ−ロ線断面図である。
【符号の説明】
【００３１】
１  撒き出し装置
２  重機
３  可動アーム
４  駆動装置
５  ホッパ
６  回転羽根
７  収納ボックス
７ａ  散布口
８  駆動軸
９  アジテータ
１０  繰り出し口
１１  シャッター
１２  変速装置
１３  油圧ホース
１４  油圧ジャッキ
【図１】
2006257671.tif 000003
【図２】
2006257671.tif 000004